(57)【要約】【課題】ＰＥＴ撮影前に算出される投影データの収集に必要なデータ領域のサイズの精度を向上させることが可能な核医学診断装置を提供することにある。【解決手段】実施形態に係る核医学診断装置は、第１の取得手段と、第２の取得手段と、第３の取得手段と、算出手段とを具備する。第１の取得手段は、被検体内に投与される放射性同位元素から放出される放射線の線量を示す投与線量情報を取得する。第２の取得手段は、検出器の感度を示す検出器感度情報を取得する。第３の取得手段は、操作者によって指定された投影データを収集するための収集時間に関する収集時間情報を取得する。算出手段は、取得された投与線量情報、検出器感度情報及び収集時間情報に基づいて、収集される投影データを記憶するために必要なデータ領域のサイズを算出する。【選択図】図３
2015010932.tif 000002
【特許請求の範囲】
【請求項１】
被検体内に投与された放射性同位元素から放出された放射線を検出する検出器を備え、当該検出器によって検出された放射線に関する投影データを収集する核医学診断装置において、
前記被検体内に投与される放射性同位元素から放出される放射線の線量を示す投与線量情報を取得する第１の取得手段と、
前記検出器の感度を示す検出器感度情報を取得する第２の取得手段と、
操作者によって指定された前記投影データを収集するための収集時間に関する収集時間情報を取得する第３の取得手段と、
前記取得された投与線量情報、検出器感度情報及び収集時間情報に基づいて、前記収集される投影データを記憶するために必要なデータ領域のサイズを算出する算出手段と
を具備することを特徴とする核医学診断装置。
【請求項２】
前記収集された投影データを記憶する記憶手段と、
前記投影データの収集前に前記算出されたサイズのデータ領域を前記記憶手段内に確保する確保手段と
を更に具備することを特徴とする請求項１記載の核医学診断装置。
【請求項３】
前記投影データの収集中に付与される所定時間におけるタイムスタンプ数を示すタイムスタンプ情報を取得する第４の取得手段と、
前記被検体内で発生するイベントで収集される投影データのバイト数を示すイベントサイズ情報を取得する第５の取得手段と
を更に具備し、
前記収集時間情報は、前記投影データを収集するための総収集時間を示し、
前記算出手段は、
前記収集される投影データを記憶するために必要なデータ領域のサイズを、前記取得された投与線量情報によって示される線量、前記取得された検出器感度情報によって示される前記検出器の感度、前記取得された収集時間情報によって示される総収集時間、前記タイムスタンプ情報によって示されるタイムスタンプ数及び前記イベントサイズ情報によって示されるバイト数を用いて、
（線量×検出器の感度×総収集時間＋タイムスタンプ数×総収集時間）×バイト数
によって算出する
ことを特徴とする請求項１記載の核医学診断装置。
【請求項４】
前記算出手段は、前記取得された投与線量情報によって示される線量に対して減衰補正を行うことにより前記投影データの収集中における平均線量を算出し、前記算出された平均線量、前記取得された検出器感度情報及び収集時間情報に基づいて、前記収集される投影データを記憶するために必要なデータ領域のサイズを算出することを特徴とする請求項１記載の核医学診断装置。
【請求項５】
前記投影データの収集中に付与される所定時間におけるタイムスタンプ数を示すタイムスタンプ情報を取得する第４の取得手段と、
前記被検体内で発生するイベントで収集される投影データのバイト数を示すイベントサイズ情報を取得する第５の取得手段と、
前記放射性同位元素が前記被検体内に投与されてから前記投影データの収集が開始されるまでの収集開始時間を示す開始時間情報を取得する第６の取得手段と、
前記被検体内に投与される放射性同位元素の半減期を示す半減期情報を取得する第７の取得手段と
を更に具備し、
前記収集時間情報は、前記投影データを収集するための総収集時間を示し、
前記算出手段は、
前記投与線量情報によって示される線量、前記開始時間情報によって示される収集開始時間及び前記半減期情報によって示される前記放射性同位元素の半減期を用いて、
線量×０．５＾（収集開始時間／放射性同位元素の半減期）
によって前記投影データの収集開始時の線量を算出し、
前記投与線量情報によって示される線量、前記開始時間情報によって示される収集開始時間、前記収集時間情報によって示される総収集時間及び前記半減期情報によって示される前記放射性同位元素の半減期を用いて、
線量×０．５＾（（収集開始時間＋総収集時間）／放射性同位元素の半減期）
によって前記投影データの収集終了時の線量を算出し、
前記算出された収集開始時の線量及び収集終了時の線量に基づいて、
（収集開始時の線量＋収集終了時の線量）／２
によって前記平均線量を算出し、
前記収集される投影データを記憶するために必要なデータ領域のサイズを、前記算出された平均線量、前記検出器感度情報によって示される前記検出器の感度、前記収集時間情報によって示される総収集時間、前記タイムスタンプ情報によって示されるタイムスタンプ数及び前記イベントサイズ情報によって示されるバイト数を用いて、
（平均線量×検出器の感度×総収集時間＋タイムスタンプ数×総収集時間）×バイト数
によって算出する
ことを特徴とする請求項４記載の核医学診断装置。
【請求項６】
前記タイムスタンプ情報は、前記投影データの収集中に付与される１秒あたりのタイムスタンプ数を示すことを特徴とする請求項３または５記載の核医学診断装置。
【請求項７】
前記イベントサイズ情報は、前記被検体内で発生する１回のイベントで収集される投影データのバイト数を示すことを特徴とする請求項３または５記載の核医学診断装置。
【発明の詳細な説明】
【技術分野】
【０００１】
本発明の実施形態は、核医学診断装置に関する。
【背景技術】
【０００２】
従来から、被検体の生体組織における機能情報を画像化する核医学診断装置として、ＰＥＴ（Positron Emission Tomography）装置が知られている。
【０００３】
このＰＥＴ装置では、薬剤（放射性同位元素）が投与された被検体内で陽電子対消滅（以下、イベントと表記）が発生することによって互いに反対方向に放出された１対の放射線（ガンマ線）が、被検体の周囲を取り巻くように配列された複数のガンマ線検出器のうちの２つのガンマ線検出器で同時計測される。ＰＥＴ装置では、同時計測された１対のガンマ線に関するＰＥＴ投影データに基づいてイベントが発生した位置を特定することによって核医学画像（ＰＥＴ画像）が生成される。
【０００４】
ところで、ＰＥＴ装置において、同時計測された１対のガンマ線に関するＰＥＴ投影データを収集した順に記憶していくモード（以下、リストモードと表記）でＰＥＴ撮影を行う場合、当該ＰＥＴ投影データの収集中にデータ領域不足とならないように、当該ＰＥＴ撮影の前に当該収集されるＰＥＴ投影データを記憶するために必要なデータ領域のサイズを算出し、当該算出されたサイズのデータ領域（ディスク領域）をディスク内に確保することが行われている。
【０００５】
なお、この必要なデータ領域のサイズは、例えばＰＥＴ装置内部で予め定められている“想定される１秒あたりの最大データサイズ”と当該ＰＥＴ装置におけるＰＥＴ撮影の度に指定される“ＰＥＴ投影データの総収集時間”とに基づいて算出される。
【先行技術文献】
【特許文献】
【０００６】
【特許文献１】特開２００８−１９６９６１号公報
【発明の概要】
【発明が解決しようとする課題】
【０００７】
しかしながら、上記したように“想定される１秒あたりの最大データサイズ”と“ＰＥＴ投影データの総収集時間”とに基づいて確保されるデータ領域のサイズが算出される場合、実際に収集されるＰＥＴ投影データのサイズ以上のデータ領域が確保されることになる。このような誤差は、実際に収集されるＰＥＴ投影データを記憶するために必要なデータ領域がディスク内で確保可能であるにもかかわらず、当該ディスクの空き容量（つまり、必要なデータ領域）の不足と判断される原因となる。
【０００８】
なお、ディスクの空き容量が不足した場合に当該ディスクに記憶されている過去のデータを自動的に削除することによって、当該空き容量を確保する手法が知られている。しかしながら、この手法ではディスクの空き容量を確保するために自動的に過去のデータが削除されるため、過去のデータを長期間記憶しておくことが困難である。
【０００９】
そこで、本発明が解決しようとする課題は、ＰＥＴ撮影前に算出される投影データの収集に必要なデータ領域のサイズの精度を向上させることが可能な核医学診断装置を提供することにある。
【課題を解決するための手段】
【００１０】
実施形態によれば、被検体内に投与された放射性同位元素から放出された放射線を検出する検出器を備え、当該検出器によって検出された放射線に関する投影データを収集する核医学診断装置が提供される。
【００１１】
実施形態に係る核医学診断装置は、第１の取得手段と、第２の取得手段と、第３の取得手段と、算出手段とを具備する。
【００１２】
前記第１の取得手段は、前記被検体内に投与される放射性同位元素から放出される放射線の線量を示す投与線量情報を取得する。
【００１３】
前記第２の取得手段は、前記検出器の感度を示す検出器感度情報を取得する。
【００１４】
前記第３の取得手段は、操作者によって指定された前記投影データを収集するための収集時間に関する収集時間情報を取得する。
【００１５】
前記算出手段は、前記取得された投与線量情報、検出器感度情報及び収集時間情報に基づいて、前記収集される投影データを記憶するために必要なデータ領域のサイズを算出する。
【図面の簡単な説明】
【００１６】
【図１】第１の実施形態に係るＰＥＴ装置の外観を示す図。
【図２】図１に示すＰＥＴ装置が備えるコンソール３０の主として機能構成を示すブロック図。
【図３】本実施形態に係るＰＥＴ装置のコンソール３０に含まれる制御部３２の処理手順を示すフローチャート。
【図４】“想定される１秒あたりの最大データサイズ”と“ＰＥＴ投影データの総収集時間”とから算出されるリストモードデータサイズについて説明するための図。
【図５】本実施形態において算出されるリストモードデータサイズについて説明するための図。
【発明を実施するための形態】
【００１７】
以下、図面を参照して、各実施形態について説明する。各実施形態に係る核医学診断装置として、ＰＥＴ（Positron Emission Tomography）装置を例に挙げて説明する。
【００１８】
（第１の実施形態）
図１は、第１の実施形態に係るＰＥＴ装置の外観を示す図である。図１に示すように、ＰＥＴ装置は、架台１０、寝台装置２０及びコンソール３０を備える。
【００１９】
架台１０は、撮影領域内に載置された被検体内で放出されるガンマ線（放射線）で被検体をＰＥＴ撮影する。このとき、被検体には、予め薬剤が投与されている。この薬剤は、ポジトロン（陽電子）を放出する放射性同位元素で標識されている。薬剤（放射性同位元素）から放出されたポジトロンは、電子と対消滅し、１対のガンマ線を発生する。
【００２０】
なお、図１においては図示されていないが、架台１０には、複数のガンマ線検出器及びＰＥＴデータ収集部が設けられている。架台１０は被検体が送り込まれる略円筒形上を有する中空部を有しており、複数のガンマ線検出器は、当該中空部の外周に円周状に配置されている。被検体内から放出される１対のガンマ線は、複数のガンマ線検出器のうちの１対のガンマ線検出器によって検出（同時計数）される。このようにガンマ線検出器によってガンマ線が検出された場合、当該ガンマ線の強度に応じた電気信号が生成される。
【００２１】
ＰＥＴデータ収集部は、ガンマ線検出器によって生成された電気信号を収集し、当該電気信号をデジタルデータに変換する。
【００２２】
このように架台１０において収取された電気信号（デジタルデータ）は、コンソール３０に供給される。
【００２３】
寝台装置２０は、被検体が載置される天板を含み、当該天板を例えば長手方向、横手方向、上下方向に移動可能に支持する。
【００２４】
コンソール３０は、架台１０において収集された電気信号（デジタルデータ）に対して各種データ処理を実行する。
【００２５】
図２は、図１に示すＰＥＴ装置が備えるコンソール３０の主として機能構成を示すブロック図である。図２に示すように、コンソール３０は、入力部３１、制御部３２、記憶部３３、ＰＥＴ画像生成部３４及び表示部３５を含む。
【００２６】
入力部３１は、例えば入力デバイスを介して操作者によって指定された指示や情報を受け付ける（入力する）。なお、入力デバイスとしては、例えばキーボードやマウス、各種スイッチ、タッチパネル等が利用可能である。
【００２７】
制御部３２は、ＰＥＴ装置の中枢として機能し、当該ＰＥＴ装置内の各部を制御する。また、制御部３２は、上記したように架台１０において収集された電気信号に対して信号処理をし、ＰＥＴ撮影に関する投影データ、すなわち、上記した検出器によって検出された放射線に関する投影データ（以下、ＰＥＴ投影データと表記）を生成する。この信号処理には、例えば位置計算処理、エネルギー計算処理、同時係数処理及び前処理等が含まれる。また、この前処理には、例えば感度補正、ランダム補正及び散乱性補正等が含まれる。このような制御部３２の処理が順次実行されることによって、ＰＥＴ装置において、ＰＥＴ撮影によるＰＥＴ投影データが収集される。
【００２８】
ここで、ＰＥＴ装置においてリストモードが設定されている場合には、上記したＰＥＴ投影データが収集された順に記憶部３３に記憶される。このため、本実施形態に係るＰＥＴ装置においては、ＰＥＴ撮影の前（つまり、ＰＥＴ投影データの収集前）に、ＰＥＴ投影データを記憶するために必要なデータ領域を記憶部３３内に確保する処理が実行される。
【００２９】
この場合、制御部３２は、ＰＥＴ装置において収集されるＰＥＴ投影データを記憶するために必要なデータ領域のサイズを算出するために用いられる各種情報を取得して当該データ領域のサイズを算出する。なお、必要なデータ領域のサイズを算出するために用いられる情報には、被検体に投与される薬剤に関する情報（以下、薬剤投与情報と表記）及び撮影パラメータ等が含まれる。
【００３０】
本実施形態に係るＰＥＴ装置においては、このように制御部３２によって算出されたサイズのデータ領域が記憶部３３内に確保される。記憶部３３内にデータ領域が確保されると、ＰＥＴ撮影が行われ、ＰＥＴ投影データが収集及び記憶される。なお、この制御部３２の処理の詳細については後述する。
【００３１】
記憶部３３には、上記したＰＥＴ投影データ以外に、本実施形態に係るＰＥＴ装置の制御プログラム等が記憶されている。この制御プログラムは、制御部３２によって実行される。
【００３２】
ＰＥＴ画像生成部３４は、記憶部３３に記憶されたＰＥＴ投影データに基づいて、被検体に関する核医学画像（以下、ＰＥＴ画像と表記）のデータを生成（再構成）する。ＰＥＴ画像を構成する各画素に割り付けられた画素値は、放射性同位元素の濃度に応じたカウント値を有する。
【００３３】
表示部３５は、例えば液晶やＣＲＴ等のモニタを備える。表示部３５は、ＰＥＴ画像生成部３４によって生成されたＰＥＴ画像を表示する。
【００３４】
次に、図３のフローチャートを参照して、本実施形態に係るＰＥＴ装置のコンソール３０に含まれる制御部３２の処理手順について説明する。ここでは、上記したＰＥＴ投影データを記憶するために必要なデータ領域を記憶部３３内に確保する際の処理について主に説明する。
【００３５】
まず、制御部３２は、上記した薬剤投与情報を取得する（ステップＳ１）。ここで制御部３２によって取得される薬剤投与情報には、被検体内に投与される薬剤（放射性同位元素）から放出される放射線の線量（以下、投与線量と表記）を示す投与線量情報が含まれる。この投与線量情報は、当該投与線量情報によって示される投与線量が例えば操作者によって指定されることによって、入力部３１を介してＰＥＴ装置（コンソール３０）に入力される。
【００３６】
次に、制御部３２は、上記した撮影パラメータを取得する（ステップＳ２）。ここで制御部３２によって取得される撮影パラメータには、架台１０に設けられているガンマ線検出器の感度（以下、検出器感度と表記）を示す検出器感度情報、ＰＥＴ投影データを収集するための総収集時間を示す収集時間情報、当該ＰＥＴ投影データの収集中に付与される１秒あたりのタイムスタンプ数を示すタイムスタンプ情報及び被検体内で発生する１回のイベント（陽電子対消滅）で収集されるＰＥＴ投影データのバイト数を示すイベントサイズ情報等が含まれる。
【００３７】
検出器感度情報は、ガンマ線検出器が設けられているＰＥＴ装置内において予め設定（保持）されているものとする。収集時間情報は、総収集時間が操作者によって指定されることによって、入力部３１を介してＰＥＴ装置（コンソール３０）に入力される。タイムスタンプ情報及びイベントサイズ情報は、ＰＥＴ装置内において予め設定されているものとする。
【００３８】
制御部３２は、取得された投与線量情報、検出器感度情報、収集時間情報、タイムスタンプ情報及びイベントサイズ情報に基づいて、ＰＥＴ装置において収集されるＰＥＴ投影データを記憶するために必要なデータ領域のサイズ（以下、リストモードデータサイズと表記）を算出する（ステップＳ３）。
【００３９】
ここで、リストモードデータサイズの算出処理について具体的に説明する。本実施形態において、リストモードデータサイズは、被検体への投与線量及び検出器感度を用いた以下の式（１）によって算出される。
【００４０】
DataSize＝（InjDose×Sensitivity×TotalAcqTime＋Timestamp×TotalAcqTime）×Eventsize            式（１）
この式（１）において、DataSizeは、リストモードデータサイズを表しており、単位はbyteである。InjDoseは、投与線量情報によって示される投与線量を表しており、単位はMBqである。Sensitivityは、検出器感度情報によって示される検出器感度を表しており、単位はcps/MBqである。TotalAcqTimeは、収集時間情報によって示される総収集時間を表しており、単位はsecである。Timestampは、タイムスタンプ情報によって示される１秒あたりのタイムスタンプ数を表しており、単位はcpsである。また、Eventsizeは、イベントサイズ情報によって示される１回のイベントで収集されるＰＥＴ投影データのバイト数を表しており、単位はbyteである。
【００４１】
制御部３２は、算出されたリストモードデータサイズのデータを記憶することが可能なデータ領域を記憶部３３において確保する（ステップＳ４）。
【００４２】
ステップＳ４の処理が実行されると、制御部３２は、ＰＥＴ投影データの収集処理を実行する（ステップＳ５）。具体的には、制御部３２は、架台１０において収集された電気信号に対して信号処理をすることによってＰＥＴ投影データを生成する。制御部３２は、このような処理を被検体内で発生するイベント毎に実行することによって、上記したＰＥＴ撮影が行われる期間の間、ＰＥＴ投影データを収集する。なお、上記したようにリストモードでＰＥＴ装置が動作している場合、制御部３２によって収集されたＰＥＴ投影データは、順次、記憶部３３（の確保されたデータ領域）に記憶される。
【００４３】
ＰＥＴ撮影（つまり、ＰＥＴ投影データの収集）が終了されると、制御部３２は、ステップＳ４において確保されたデータ領域のうち、ＰＥＴ投影データが格納されなかったデータ領域（余ったデータ領域）を解放する（ステップＳ６）。
【００４４】
上記したように本実施形態においては、被検体内に投与される薬剤（放射性同位元素）から放出される放射線の線量（投与線量）を示す投与線量情報、被検体内に投与された薬剤から放出された放射線を検出する検出器の感度を示す検出器感度情報及び操作者によって指定されたＰＥＴ投影データを収集するための総収集時間を示す収集時間情報を取得し、当該取得された投与線量情報、検出器感度情報及び収集時間情報に基づいて、収集されるＰＥＴ投影データを記憶するために必要なデータ領域のサイズを算出する構成により、ＰＥＴ撮影の前に算出されるＰＥＴ投影データの収集に必要なデータ領域のサイズ（リストモードデータサイズ）の精度を向上させることができる。
【００４５】
具体的には、例えばＰＥＴ装置内部で予め定められている“想定される１秒あたりの最大データサイズ”とＰＥＴ投影データを収集するための総収集時間のみからリストモードデータサイズを算出した場合には、記憶部３３内において図４に示すデータ領域３３１ａが確保されることになる。この場合、図４に示すように、実際に収集されたＰＥＴ投影データが記憶されるデータ領域（実際に使用したデータ領域）３３２ａと事前に確保されたデータ領域３３１ａとの誤差が大きく、確保したにもかかわらず使用されなかったデータ領域３３３ａが大きい。この場合、実際に使用したデータ領域３３２ａは確保できたにもかかわらずデータ領域３３１ａを確保することができないような場合には、ＰＥＴ装置においては、ＰＥＴ投影データを記憶するために必要なデータ領域を確保できないためＰＥＴ撮影を行うことができない。
【００４６】
これに対して、本実施形態において説明したようにリストモードデータサイズを算出した場合には、記憶部３３内において図５に示すデータ領域３３１ｂが確保されることになる。この場合、図５に示すように、実際に収集されたＰＥＴ投影データが記憶されるデータ領域（実際に使用したデータ領域）３３２ｂと事前に確保されたデータ領域３３１ｂとの誤差が小さく、使用されないデータ領域３３３ｂを小さくすることができる。
【００４７】
本実施形態によれば、投与線量及び検出器感度を用いて実際に収集されるＰＥＴ投影データのサイズに近いサイズを算出することが可能となるため、不必要なデータ領域（ディスク領域）の確保のためにデータ領域が確保できない（つまり、収集時のディスクの空き容量不足）としてＰＥＴ撮影を行うことができないといった事態を回避することができる。
【００４８】
なお、本実施形態においては核医学診断装置の一例としてＰＥＴ装置を例に挙げて説明したが、本実施形態は、例えばＸ線コンピュータ断層撮影装置（Ｘ線ＣＴ装置）とＰＥＴ装置とが一体化されたＰＥＴ−ＣＴ装置等に適用されても構わない。
【００４９】
（第２の実施形態）
次に、第２の実施形態について説明する。なお、本実施形態に係るＰＥＴ装置の構成は、前述した第１の実施形態と同様であるため、適宜、図１及び図２を用いて説明する。
【００５０】
本実施形態は、ＰＥＴ装置において収集されるＰＥＴ投影データを記憶するために必要なデータ領域のサイズ（リストモードデータサイズ）の算出に、ＰＥＴ投影データの収集中の平均線量を用いる点が、前述した第１の実施形態と異なる。
【００５１】
以下、本実施形態におけるリストモードデータサイズの算出処理について具体的に説明する。なお、リストモードデータサイズの算出処理以外の処理は前述した図３において説明した通りであるため、その詳しい説明を省略する。
【００５２】
本実施形態において、リストモードデータサイズは、平均線量及び検出器感度を用いた以下の式（２）によって算出される。
【００５３】
DataSize＝（DoseAve×Sensitivity×TotalAcqTime＋Timestamps×TotalAcqTime）×EventSize            式（２）
この式（２）において、DataSizeは、リストモードデータサイズを表しており、単位はbyteである。DoseAveは、ＰＥＴ投影データの収集中の平均線量を表しており、単位はMBqである。Sensitivityは、検出器感度情報によって示される検出器感度を表しており、単位はcps/MBqである。TotalAcqTimeは、収集時間情報によって示される総収集時間を表しており、単位はsecである。Timestampは、タイムスタンプ情報によって示される１秒あたりのタイムスタンプ数を表しており、単位はcpsである。また、Eventsizeは、イベントサイズ情報によって示される１回のイベントで収集されるＰＥＴ投影データのバイト数でを表しており、単位はbyteである。
【００５４】
ここで、平均線量は、以下の式（３）によって算出される。
【００５５】
DoseAve＝（DoseSt＋DoseEd）／２            式（３）
この式（３）において、DoseStは、ＰＥＴ投影データの収集開始時の投与線量を表しており、単位はMBqである。なお、このDoseStは、以下の式（４）によって算出される。
【００５６】
DoseSt＝InjDose×０．５＾（ElapsedTime／Halflife）            式（４）
この式（４）において、InjDoseは、投与線量情報によって示される投与線量を表しており、単位はMBqである。ElapsedTimeは、被検体への薬剤の投与から収集開始までの時間を表しており、単位はsecである。なお、本実施形態においては、リストモードデータサイズの算出前に薬剤が被検体内に投与されており、このElapsedTimeは、当該薬剤が投与された時間からＰＥＴ投影データの収集開始直前（具体的には、当該リストモードデータサイズの算出時）までの時間とする。Halflifeは、核種（被検体に投与される放射性同位元素）の半減期を表しており、単位はsecである。このHalflifeは、前述した第１の実施形態における薬剤投与情報に含まれていてもよいし、ＰＥＴ装置内部において予め保持されていても構わない。
【００５７】
一方、式（３）におけるDoseEdは、ＰＥＴ投影データの収集終了時の投与線量を表しており、単位はMBqである。なお、このDoseEdは、以下の式（５）によって算出される。
【００５８】
DoseEd＝InjDose×０．５＾（（ElapsedTime＋TotalAcqTime）／Halflife）式（５）
この式（６）において、InjDose、ElapsedTime及びHalflifeは、上記した式（４）において説明した通りである。また、TotalAcqTimeは、上記した式（２）において説明した通りである。
【００５９】
本実施形態においては、上記した式（２）〜式（５）によってリストモードデータサイズを算出する構成により、被検体への投与線量に対して減衰補正を行うため、前述した第１の実施形態と比較して、より正確なリストモードデータサイズを算出することが可能となる。
【００６０】
以上説明したこれらの実施形態によれば、ＰＥＴ撮影の前に算出される投影データの収集に必要なデータ領域のサイズの精度を向上させることが可能となる。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００６２】
１０…架台、２０…寝台装置、３０…コンソール、３１…入力部、３２…制御部、３３…記憶部、３４…ＰＥＴ画像生成部、３５…表示部。
【図１】
2015010932.tif 000003
【図２】
2015010932.tif 000004
【図３】
2015010932.tif 000005
【図４】
2015010932.tif 000006
【図５】
2015010932.tif 000007